(57)【要約】【課題】受信端末が発生するノイズが電波の受信に与える影響を抑えつつ受信電波のノイズを除去する。【解決手段】受信回路１０２は、アンテナ１０１を経由してテレビまたはラジオ放送電波を受信してデジタルデータに変換する。ＣＰＵ２０は変換されたデジタルデータを音声データと画像データとに変換し、音声再生部１０４は音声データを再生し、画像表示部１０６は画像データを表示する。クロック供給部３０は、各回路／手段を動作させるための基本となるクロックを供給する。受信感度測定部１１０は、受信電波の受信感度を測定して基準値と比較判定し、判定結果に応じてクロック供給手段から供給するクロックの周波数を変更させるためのクロック周波数変更信号を出力する。【選択図】図１
2007158633.tif 000002
【特許請求の範囲】
【請求項１】
アンテナを経由してテレビまたはラジオ放送電波を受信する受信手段と、
前記受信電波をデジタルデータに変換する変換手段と、
変換されたデジタルデータを音声データと画像データとに変換するデータ変換手段と、  データ変換手段からデータバスを介して音声データを受信し再生する再生手段と、
データ変換手段からデータバスを介して画像データを受信し表示する表示手段と、
前記受信手段，変換手段，再生手段および表示手段を動作するための基準となるクロックを供給するクロック供給手段と、
前記受信電波の受信感度を測定する測定手段と、
受信感度の基準値を格納する格納手段と、
前記受信感度の測定値と前記受信感度の基準値を比較判定する比較判定手段と、
判定結果に応じて前記クロック供給手段から供給するクロックの周波数を変更させるためのクロック周波数変更信号を出力する制御手段を備えることを特徴とする受信端末。
【請求項２】
前記制御手段は、前記受信感度の測定値が前記基準値を満すならそのクロック周波数、満たさない場合には前記クロックの周波数を所定回数だけ変更し、その結果により受信信号の測定値の変化をチェックして、最良の受信感度となるクロック周波数の設定指示を前記クロック供給部に対して行うことを特徴とする請求項１記載の受信端末。
【請求項３】
前記クロック供給手段は、定常的に同じ周波数のクロックを出力する発振器と、予め複数パターンの分周周期情報を格納しており前記受信感度測定部からの制御信号によって分周周期を設定する分周周期格納部と、前記発振器から出力されるクロックを前記分周周期設定に応じて分周したクロックを出力する分周回路とを有し、前記制御手段からのクロック周波数変更信号によって前記分周回路を制御することを特徴とする請求項１または請求項２記載の受信端末。
【請求項４】
前記データバスは、前記クロック供給手段から出力されるクロック周波数の変更によって必要なバスの転送レートが得られなくなった場合には、バス幅を変更して転送レートを確保する機能を有することを特徴とする請求項１ないし請求項３のいずれかに記載の受信端末。
【請求項５】
前記測定手段は、テレビまたはラジオ放送電波の受信感度をビットエラーレートの方法で測定することを特徴とする請求項１ないし請求項４のいずれかに記載の受信端末。
【発明の詳細な説明】
【技術分野】
【０００１】
本発明は、受信端末、特に、テレビ／ラジオのように広い受信周波数帯域が要求される受信機能を有する端末におけるノイズの除去に関する。
【背景技術】
【０００２】
テレビ／ラジオのように広い受信周波数帯域が要求される受信端末において、受信の抑圧となるノイズの除去には、従来、受信した電波から局所発振周波数を用いて中間周波数信号を生成し、その復調信号のノイズレベルに応じて局所発振周波数を変更することにより、ノイズをＢＰＦ外へ移動させることによって行っている（例えば、特許文献１参照）。そして、局所発振周波数の変更は、復調信号のノイズレベルに応じて、可変容量ダイオードに供給する直流バイアス電圧を変化させて容量を変化させ、可変容量ダイオードの容量で定まる基準クロックの周波数を変化させることによって行っている。
【０００３】
【特許文献１】特開２００２−１５８５９５号公報（第２頁−第４頁、図１）
【発明の開示】
【発明が解決しようとする課題】
【０００４】
しかしながら、上述した従来技術では、制御される対象となるクロックは電波受信用の局部発振周波数であり、装置自身の動作クロックが制御対処となっていないため、受信電波が、装置自身の発生するノイズの影響を受け、受信するチャネルによっては装置が発生するノイズによって抑圧されてしまうという第１の問題点がある。
【０００５】
また、局部発振周波数の変更でノイズを帯域外に除去する方式であるため、受信装置が中間周波数を使用するシングルコンバージョン方式の場合にしか適用できず、中間周波数を使用しないダイレクトコンバージョン方式では適用できないという第２の問題点がある。
【０００６】
そこで、本発明の第１の目的は、装置が発生するノイズが電波の受信に与える影響を抑えつつ、受信電波のノイズを除去することができる受信端末を提供することにある。
【０００７】
また、本発明の第２の目的は、電波の受信方式に関係無く、第１の目的を達成することができる受信端末を提供することにある。
【課題を解決するための手段】
【０００８】
本発明の受信端末は、アンテナを経由してテレビまたはラジオ放送電波を受信する受信手段（図１の１０２）と、受信電波をデジタルデータに変換する変換手段（図１の１０２）と、変換されたデジタルデータを音声データと画像データとに変換するデータ変換手段（図１の２０）と、データ変換手段からデータバスを介して音声データを受信し再生する再生手段（図１の１０４）と、データ変換手段からデータバスを介して画像データを受信し表示する表示手段（図１の１０６）と、受信手段，変換手段，再生手段および表示手段を動作するための基準となるクロックを供給するクロック供給手段（図１の３０）と、受信電波の受信感度を測定する測定手段（図１の１１０）と、受信感度の基準値を格納する格納手段（図１の１１０）と、受信感度の測定値と受信感度の基準値を比較判定する比較判定手段（図１の１１０）と、判定結果に応じてクロック供給手段から供給するクロックの周波数を変更させるためのクロック周波数変更信号を出力する制御手段（図１の１１０）を備えることを特徴とする。
【０００９】
前記制御手段は、具体的には、受信感度の測定値が前記基準値を満すならそのクロック周波数、満たさない場合には前記クロックの周波数を所定回数だけ変更し、その結果により受信信号の測定値の変化をチェックして、最良の受信感度となるクロック周波数の設定指示を前記クロック供給部に対して行う。
【００１０】
前記クロック供給手段は、具体的には、定常的に同じ周波数のクロックを出力する発振器と、予め複数パターンの分周周期情報を格納しており受信感度測定部からの制御信号によって分周周期を設定する分周周期格納部と、発振器から出力されるクロックを分周周期設定に応じて分周したクロックを出力する分周回路とを有し、制御手段からのクロック周波数変更信号によって分周回路を制御する。
【００１１】
前記データバスは、クロック供給手段から出力されるクロック周波数の変更によって必要なバスの転送レートが得られなくなった場合には、バス幅を変更して転送レートを確保する機能を有するようにするのが望ましい。
【００１２】
前記測定手段は、テレビまたはラジオ放送電波の受信感度を、例えばビットエラーレートの方法で測定するのが望ましい。
【発明の効果】
【００１３】
本発明の第１の効果は、受信感度を測定して基準値を超えた場合には受信感度が最良になるように装置の動作クロックを変更するため、特に広い受信帯域が要求される装置において装置が動作することによって発生するノイズの影響を抑えることが可能になるということである。
【００１４】
本発明の第２の効果は、動作クロック周波数の変更をデジタル的に行うことができるため、可変容量ダイオードに対する電圧変更のようにアナログ的にクロックを制御する方式に比べ、動作中の基準クロックの揺れが少なく装置を安定して動作させることができるということである。これら２つの効果はダイレクトコンバージョン方式を採用する装置においても得ることができる。
【発明を実施するための最良の形態】
【００１５】
本発明の受信端末は、受信したテレビ／ラジオの電波の受信感度を測定する測定手段（図１の１１０）と、受信端末内に動作基準クロックを分周回路（図２の３０３）によって分周／供給するクロック供給手段（図１の３０）を有し、測定手段により測定された受信感度が規定値を満足しなかった時には、クロック供給手段を制御することで供給クロックの周波数を変更し、電波の受信感度への影響が小さくなるように携帯端末内の回路の動作ノイズの発生点を任意に変化させることによって発明の目的を達成する。以下、本発明の実施例について図面を参照して詳細に説明する。
【００１６】
[構成の説明]
図１は本発明の受信端末の一実施例である携帯端末１０の構成を示すブロック図である。この携帯端末１０は、アンテナ１０１、受信回路１０２、受信感度測定部１１０、ＣＰＵ２０、メモリ１０８、音声再生部１０４、画像表示部１０６およびクロック供給部３０により構成されている。
【００１７】
アンテナ１０１はテレビ／ラジオ受信用のアンテナ、受信回路１０２はチューナーであり、アンテナ１０１から受信したテレビ／ラジオデータをデジタル化しデータバス１０３経由でＣＰＵ２０に出力する。
【００１８】
受信感度測定部１１０には、テレビ／ラジオの受信が予測されるチャンネル毎に、予め受信感度の判定基準値が設定されている。そして、受信回路１０２が受信したテレビ／ラジオデータの受信感度の測定機能，測定した受信感度と受信感度の判定基準値との比較判定機能，その判定結果に応じてクロック供給部３０を１〜ｉ(ｉ：整数)の複数段階で制御する機能および測定した受信感度値とクロック供給部３０への制御値の格納機能を有する。
【００１９】
クロック供給部３０はＣＰＵ２０に対して動作用のクロックを供給する機能を有し、図２に示すように分周周期格納部３０１，発振器３０２および分周回路３０３で構成される。分周周期格納部３０１は予め複数パターンの分周周期情報が格納しており、受信感度測定部１１０からの制御信号によって分周回路３０３に分周周期を設定する。発振器３０２はクロックの発生源であり、定常的に同じ周波数のクロックを出力する。分周回路３０３は発振器３０２から出力されるクロックを分周周期格納部３０１からの分周周期設定に応じて分周したクロックを出力する。
【００２０】
データバス１０３，１０５，１０７，１０９は、それぞれ受信回路１０２，音声再生部１０４，画像表示部１０６，メモリ１０８とＣＰＵ２０とのデータ転送用のバスであり、分周周期に対応してビット幅が拡張可能なように余分にビットを具備する。例えば、分周周期が５／１０まで設定可能な場合にはバス幅は必要幅の２倍、分周周期が２／１０まで設定可能な場合は必要幅の５倍といった具合である。
【００２１】
ＣＰＵ２０は携帯端末１０が具備する各機能の制御、および受信したテレビ／ラジオデータを画像データ，音声データに変換する。テレビ／ラジオ受信時には、受信回路１０２が受信したテレビ／ラジオデータの内、画像データはデータバス１０７経由で画像表示部１０６に、音声データはデータバス１０５経由で音声再生部１０４にそれぞれ出力する機能を有する。
【００２２】
２０２，２０３，２０４，２０５は、それぞれ受信回路１０２，音声再生部１０４，画像表示部１０６，メモリ１０８の各機能ブロックとのＣＰＵ２０におけるバスインタフェース回路であり、クロックとデータの同期および各機能ブロックへのクロック出力を行う。また、４０１，４０２，４０３，４０４は、それぞれ受信回路１０２，音声再生部１０４，画像表示部１０６，メモリ１０８側のバスインタフェース回路であり、ＣＰＵ２０におけるバスインタフェース回路２０２，２０３，２０４，２０５と連動して、バス１０３，１０５，１０７，１０９がデータ転送レート確保のためにビット幅を拡張した場合のバス終端を行う。
【００２３】
クロック分配部２０１は、クロック供給部３０から受信したクロックをバスインタフェース回路２０２〜２０５に対して各機能ブロックに周波数を逓倍して出力する機能を有する。メモリ１０８は、ＣＰＵ２０とデータバス１０９を介して接続され、ＣＰＵ２０がテレビデータの変換処理を行うための作業エリアとして使用される。
【００２４】
音声再生部１０４は音源およびスピーカで構成され、音声データを外部に出力する機能を有する。画像表示部１０６は、例えば液晶ディスプレイのように画像を表示する機能を有しており、動画や静止画の表示を行う。
【００２５】
[動作の説明]
次に、本携帯端末の動作について、図３に示すフローチャートを参照しながら説明する。なお、受信感度測定部１１０はクロック供給部３０に対して５段階のクロック分周周期の変更指示を出力する機能を有しているとする。制御値１＝９／１０逓倍、制御値２＝８／１０逓倍、制御値３＝７／１０逓倍、制御値４＝６／１０逓倍、制御値５＝５／１０逓倍とする。従って、クロック供給部３０には段階１〜５に対応した分周周期情報が格納されている。
【００２６】
テレビ機能が起動され、または起動中にテレビチャンネルが変更されて（図３のステップＳ１）、受信回路１０２はアンテナ１０１経由でテレビデータを受信すると（図３のステップＳ２）、受信したテレビデータをデジタル化してＣＰＵ２０と受信感度測定部１１０に出力する。受信回路１０２からデータバス１０３経由で受信したテレビデータはＣＰＵ２０およびメモリ１０８で変換処理が行われ、音声データ，画像データとしてそれぞれ音声再生部１０４と画像表示部１０６にデータバス１０５，１０７経由で送信される。
【００２７】
音声再生部１０４はＣＰＵ２０から受信した音声データを外部に出力し、画像表示部１０６はテレビデータを動画として表示することによってユーザはテレビを鑑賞することが可能となる。この一連の動作において、ＣＰＵ２０，受信回路１０２，音声再生部１０４，画像表示部１０６，メモリ１０８およびデータバス１０３，１０５，１０７，１０９が動作することにより、現在受信しているテレビチャンネルの周波数帯の近傍にノイズが発生し、テレビの受信感度を劣化させることがある。
【００２８】
受信感度測定部１１０は、受信したテレビデータの受信感度を例えば受信データのビットエラーレートといった手段を用いて測定し、予め設定されている受信感度の判定基準値との比較を行う（図３のステップＳ３，Ｓ４）。受信感度測定部１１０での判定の結果、判定基準値よりも測定値が下回った場合（図３のステップＳ５でyesの場合）は以降の動作はしない。
【００２９】
一方、受信信号の測定値が判定基準値以上の場合（図３のステップＳ５でnoの場合）には、クロック周波数を変えてみて、受信信号の測定値の変化をチェックする。すなわち、受信感度測定部１１０は、クロック供給部３０に対して分周周期変更指示を送信すると共に、そのときの受信感度と周期変更指示の制御値を格納する（図３のステップＳ６，Ｓ７）。受信感度測定部１１０が制御値１での周期変更指示を出力した場合（図３のステップＳ７）、クロック供給部３０は最初に出力していたクロックの周波数の９／１０の周波数でクロック分配部２０１に対してクロック出力を行う。
【００３０】
従って、クロック分配部２０１は最初に出力していたクロックの周波数の９／１０逓倍の周波数のクロックを動作用クロックとしてＣＰＵ２０、２０２〜２０５の各バスインタフェース回路に分配する。各バスインタフェース回路２０２〜２０５はクロック分配部２０１からのクロックの周波数が変化した場合に新しい周波数に追従して、それぞれ受信回路１０２，音声再生部１０４，画像表示部１０６，メモリ１０８にクロックを出力する。バスインタフェース回路４０１〜４０４は９／１０に逓倍されたクロックへの再同期を行い、バスインタフェース回路２０２〜２０５と同期する。
【００３１】
これらの動作により、携帯端末内部の回路は元のクロック周波数の９／１０逓倍の周波数を基準として動作することとなる。これらの動作後、受信感度測定部１１０は受信回路１０２から出力されたテレビデータの受信感度を再度測定し（図３のステップＳ３）、判定基準値との比較を行う（図３のステップＳ３，Ｓ４）。動作周波数の変更により測定値が判定基準値よりもよりも下回った場合（図３のステップＳ５でyesの場合）は、その時点で動作を停止し、判定基準値を上回った場合（図３のステップＳ５でnoの場合）には、再度クロック供給部３０に対して分周周期変更指示を送信すると共に、そのときの受信感度と周期変更指示の制御値を格納する（図３のステップＳ６，Ｓ７）。
【００３２】
もし、５段階のクロック周波数変更を行っても（図３のステップＳ８でｉ）テレビの測定値が判定基準値を下回らない場合（図３のステップＳ５でnoの場合）には、受信感度測定部内に格納した受信感度の中で最良時に対応した制御値をクロック供給部３０に指示し、動作を停止する（図３のステップＳ９）。本方法ではビットエラーレート手段を採用しているので、最小の測定値が最良の受信感度を与えるということになる。
【００３３】
なお、分周周期変更指示によって、必要なバスの転送レートが得られなくなる場合には、バスインタフェース回路２０２〜２０５および４０１〜４０４でデータバス１０３，１０５，１０７，１０９のバス幅を必要に応じて広げることで転送レートを確保しても良い。受信感度測定部１１０は、ユーザが鑑賞するテレビチャンネルを変更する度に（図３のステップＳ１）上記動作を行い、各テレビチャンネルに合わせて測定値が判定基準値を下回るならそれでよく（図３のステップＳ５）、そうでないなら受信感度が最良時のクロック周波数の制御値を選択し、クロック供給部３０に指示する（図３のステップＳ９）。
【図面の簡単な説明】
【００３４】
【図１】本発明の携帯端末の一実施例を示すブロック図
【図２】図１におけるクロック供給部の詳細を示すブロック図
【図３】図１に示した携帯端末の動作を示すフローチャート
【符号の説明】
【００３５】
１０            携帯端末
２０            ＣＰＵ
３０            クロック供給部
１０１          アンテナ
１０２          受信回路
１０３          データバス
１０４          音声再生部
１０５          データバス
１０６          画像表示部
１０７          データバス
１０８          メモリ
１０９          データバス
１１０          受信感度測定部
２０１          クロック分配部
２０２〜２０５  インタフェース回路
３０１          分周周期格納部
３０２          発振器
３０３          分周回路
４０１〜４０４  インタフェース回路
【図１】
2007158633.tif 000003
【図２】
2007158633.tif 000004
【図３】
2007158633.tif 000005